(57)【要約】      （修正有）【課題】室内機に漏れ出した冷媒が配線ガイド部から電装品箱内に浸入しない空気調和機の室内機を提供する。【解決手段】電装品箱の箱本体２１の電装品箱シール蓋で閉じられる端部２１ａに配線ガイド部２４を設けた室内機である。配線ガイド部２４は、箱本体２１の端部２１ａの壁面から該壁面に垂直に外側に突出するように連続して形成された配線ガイド溝２４ｃと、該配線ガイド溝２４ｃの内側に沿って前記壁面に形成された複数のスリットで囲まれた配線挿通孔形成用の除去片２４ｂとを備える。【選択図】図３
2015140984.tif 000002
【特許請求の範囲】
【請求項１】
電装品箱の箱本体の電装品箱シール蓋で閉じられる端部に配線ガイド部を設けた空気調和機の室内機であって、
前記配線ガイド部は、前記箱本体の前記端部の壁面から該壁面に垂直に外側に突出するように連続して形成された配線ガイド溝と、該配線ガイド溝の内側に沿って前記壁面に形成された複数のスリットで囲まれた配線挿通孔形成用の除去片とを備えることを特徴とする空気調和機の室内機。
【請求項２】
電装品箱の箱本体の電装品箱シール蓋で閉じられる端部に配線ガイド部を設けた空気調和機の室内機であって、
前記配線ガイド部は、前記箱本体の前記端部の一部を開放端とするよう形成された切込み凹部と、該切込み凹部の周囲を囲むように前記箱本体の端部の壁面から垂直に外側に突出するように連続して形成された配線ガイド溝と、該配線ガイド溝の前記切込み凹部と反対側の先端部を閉じる壁面に前記配線ガイド溝の内側に沿って形成された複数のスリットで囲まれた配線挿通孔形成用の除去片とを備え、
前記電装品箱シール蓋は、前記配線ガイド溝の端面を閉じるカバー片を備える、
ことを特徴とする空気調和機の室内機。
【請求項３】
請求項１又は２に記載の空気調和機の室内機において、
前記配線ガイド溝の内側に圧入されるクッション材を備え、該クッション材には配線通過用の切り込みが形成されていることを特徴とする空気調和機の室内機。
【発明の詳細な説明】
【技術分野】
【０００１】
本発明は、電装品箱を備えた空気調和機の室内機に関する。
【背景技術】
【０００２】
空気調和機では、可燃性の冷媒を使用する場合、その冷媒が、発火源となるおそれのある電気部品が多数組み込まれている室内機の電装品箱内に浸入したとき、その濃度が所定値を超えると火災を引き起こすおそれがある。
【０００３】
このような火災の発生を防止するには、冷媒が電装品箱内に浸入しないようにすればよく、このためには電装品箱を密閉構造にすればよいが、電装品箱内の電気部品に接続される配線を引き出すために、配線挿通孔を形成する必要がある場合がある。
【０００４】
しかし、電装品箱を複数機種に共通に使用する際には、電装品箱内から配線を引き出す必要がない場合もあり、この場合は、予め形成された配線挿通孔が常時開口した状態のままとなり、室内機内に冷媒が漏れ出した場合に、この配線挿通孔から冷媒が電装品箱内に浸入するおそれがある。
【０００５】
そこで、従来では、特許文献１に記載のように、電装品箱から外部に通じる空気流通路を特別に形成しておいて、前記した配線挿通孔等から電装品箱内に冷媒が浸入したときは、その空気流通路を経由して冷媒が外部に流出するようにして、電装品箱内に残留する冷媒の濃度を所定値以下にすることが行われている。
【先行技術文献】
【特許文献】
【０００６】
【特許文献１】特開平１１−０９４２９１号公報
【発明の概要】
【発明が解決しようとする課題】
【０００７】
しかしながら、特許文献１の構成では、内部に冷媒が一旦浸入したとき、それを確実に外部に流出させることができるとは限らず、電装品箱の中に残る可能性があり、状況によっては、その冷媒濃度が火災を引き起こす可能性のある濃度になることがある。また、冷媒を流出させるための空気流通路の構造が電装品箱の設計に制約を与えることがある。
【０００８】
本発明の目的は、配線挿通孔形成用の除去片を配線ガイド部に形成することで、室内機に漏れ出した冷媒が配線ガイド部から電装品箱内に浸入しないようにした空気調和機の室内機を提供することである。
【課題を解決するための手段】
【０００９】
上記目的を達成するために、請求項１にかかる発明の空気調和機の室内機は、電装品箱の箱本体の電装品箱シール蓋で閉じられる端部に配線ガイド部を設けた空気調和機の室内機であって、前記配線ガイド部は、前記箱本体の前記端部の壁面から該壁面に垂直に外側に突出するように連続して形成された配線ガイド溝と、該配線ガイド溝の内側に沿って前記壁面に形成された複数のスリットで囲まれた配線挿通孔形成用の除去片とを備えることを特徴とする。
【００１０】
請求項２にかかる発明は、電装品箱の箱本体の電装品箱シール蓋で閉じられる端部に配線ガイド部を設けた空気調和機の室内機であって、前記配線ガイド部は、前記箱本体の前記端部の一部を開放端とするよう形成された切込み凹部と、該切込み凹部の周囲を囲むように前記箱本体の端部の壁面から垂直に外側に突出するように連続して形成された配線ガイド溝と、該配線ガイド溝の前記切込み凹部と反対側の先端部を閉じる壁面に前記配線ガイド溝の内側に沿って形成された複数のスリットで囲まれた配線挿通孔形成用の除去片とを備え、前記電装品箱シール蓋は、前記配線ガイド溝の端面を閉じるカバー片を備えることを特徴とする。
【００１１】
請求項３にかかる発明は、請求項１又は２に記載の空気調和機の室内機において、前記配線ガイド溝の内側に圧入されるクッション材を備え、該クッション材には配線通過用の切り込みが形成されていることを特徴とする。
【発明の効果】
【００１２】
本発明によれば、電装品箱の配線ガイド部に配線挿通孔形成用の除去片を設けたので、電装品箱から配線を引き出す必要のない場合は除去片をそのまま残すことで配線挿通孔が閉じられる。このため、配線挿通孔を常時開放しておく場合と異なり、そこから室内機に漏れ出した冷媒が電装品箱内に浸入することを阻止することができる。また、配線を引き出す必要が生じたときは、除去片を除去して配線挿通孔を形成し、配線ガイド溝に配線を挿入したクッション材を圧入することで、配線挿通孔を閉じることができるので、この場合でも室内機に漏れ出した冷媒が電装品箱内に浸入することを防止することができる。
【図面の簡単な説明】
【００１３】
【図１】本発明の第１の実施例の空気調和機の室内機の一部右側の斜視図である。
【図２】第１の実施例の電装品箱と表示器ケースとメンテナンス蓋と電装品箱シールド蓋の組み立て説明図である。
【図３】第１の実施例の電装品箱の配線ガイド部の斜視図である。
【図４】第１の実施例の電装品箱の配線ガイド部に配線を挿通した例の斜視図である。
【図５】第２の実施例の電装品箱と表示器ケースとメンテナンス蓋と電装品箱シールド蓋の組み立て説明図である。
【図６】第２の実施例の電装品箱の配線ガイド部の斜視図である。
【発明を実施するための形態】
【００１４】
＜第１の実施例＞
図１に本発明の第１の実施例の空気調和機の室内機１００の一部右側を示す。この室内機１００は、前面パネル１０の内側に、後記する電装品箱２０、前面パネル１０の表示部/受光部/人検知部１１の内側に配置される後記する表示器ケース３０、前面パネル１０のメンテナス穴１２を閉じる後記するメンテナンス蓋４０、電装品箱２０の開放側（図１の内部右側）を閉じる後記する電装品箱シールド蓋５０等を備える。
【００１５】
図２に、電装品箱２０、表示器ケース３０、メンテナンス蓋４０、および電装品箱シールド蓋５０の組み立て部分の分解図を示す。
【００１６】
電装品箱２０は、箱本体２１の上部に、内部回路に給電するための電源ケーブルの先端を接続する端子台２２を備え、箱本体２１の図２における右側に、電装品箱箱シール蓋５０がかぶせられる開口２３が形成され、その開口２３の左側（図２の手前側）には内部から引き出される配線（図示せず）をガイドする配線ガイド部２４が形成されている。箱本体２１内には多数の電気部品が配置されるがここでは図示を省略している。そして、電装品箱２０の端子台２２の前面（手前）の表示器ケース取付部（図示せず）には、前記した前面パネル１０の表示部/受光部/人検知部１１の裏面に先端部分が臨むように表示器ケース３０が着脱可能に取り付けられ、端子台２２の上方は着脱自在のメンテナンス蓋４０によって覆われるようになっている。
【００１７】
表示器ケース３０は、前面パネル１０の表示部/受光部/人検知部１１の裏側に臨む先端部分に、電源オン／オフや運転状態等を表示する表示素子を取り付ける表示部取付部３１と、リモコン信号を受光する受光素子を取り付ける受光部取付部３２が横並びで設けられ、受光部取付部３２の下方には、人検知センサ（図示せず）を取り付けるための人検知センサ取付部３３が設けられている。３４は電源ケーブルの差込穴、３５は電源ケーブルの引出穴である。
【００１８】
メンテナンス蓋４０は、図１に示した前面パネル１０のメンテナンス穴１２を閉じるほぼ平面形状である。
【００１９】
電装品箱シールド蓋５０は、電装品箱２０の箱本体２１の右側面の開口２３を右側から覆う下側片５１と、箱本体２１の奥側の上方を覆う上面片５２と、箱本体２１の上部から表示器ケース３０に亘る右側面を覆う上側片５３と、箱本体２１の開口２３の奥壁右端外側と前面壁左端外側のそれぞれを覆う折曲片５４，５５とを備え、一方の折曲片５５の上部には、箱本体２１に電装品箱シールド蓋５０を取り付けたとき、電装品箱２０の配線ガイド部２４が位置するよう切欠き部５５ａが形成されている。
【００２０】
前記した配線ガイド部２４は、図３に示すように、電装品箱２０の箱本体２１の端部２１ａの壁面に、その端部２１ａから奥方向にかけてコ字形状に並ぶように形成された複数のスリット２４ａと、その複数のスリット２４ａで囲まれた配線挿通孔形成用の除去片（ノックアウト片）２４ｂと、スリット２４ａをコ字形状に囲み端部２１ａの壁面から箱本体２１の外側（手前側）に垂直に突出するように連続して形成されたコ字形状の配線ガイド溝２４ｃとを備える。
【００２１】
さて、組み立てに当たっては、まず、電装品箱２０に対して表示器ケース３０を取り付ける。そして、この表示器ケース３０の下側の差込穴３４に電源ケーブルを挿通し、その電源ケーブルの先端を上側の引出穴３５から引き出して電装品箱２０の端子台２２に接続する。
【００２２】
次に、その電装品箱２０の内部から配線ガイド部２４を経由して配線を引き出す必要のないときは、配線ガイド部２４の除去片２４ｂをそのまま残しておき、電装品箱シールド蓋５０を箱本体２１の開口２３にかぶせる。これにより、箱本体２１の端部２１ａは電装品箱シールド蓋５０の下側片５１の縁部によって閉じられる。
【００２３】
このため、配線を引き出す必要のないときは、室内機１００の内部に漏れ出した冷媒が配線ガイド部２４から電装品箱２０内に浸入することを防止することができる。
【００２４】
一方、配線を引き出すときは、除去片２４ｂを除去することで、図４に示すように配線挿通孔２４ｄを形成する。そして、軟質ゴムやスポンジ等を材質とするクッション材６０に形成された切り込み６１に配線７０を挿入してから、そのクッション材６０を配線ガイド溝２４ｃに箱本体２１の端部２１ａの側から圧入する。これにより、配線７０が箱本体２１の内部から外部に引き出される。その後、電装品箱シールド蓋５０をクッション材６０に押し付けながら、開口２３に電装品箱シールド蓋５０をかぶせる。
【００２５】
これにより、その配線挿通孔２４ｄがクッション材６０と電装品箱シールド蓋５０の下側片５１によって閉じられるので、この場合も、室内機１００の内部に漏れ出した冷媒が配線ガイド部２４から電装品箱２０内に浸入することを防止することができる。
【００２６】
最後に、電装品箱２０を含む機構部全体に前面パネル１０をかぶせ、メンテナンス穴１２をメンテナンス蓋４０で覆うことで組み立てが完了する。メンテナンス蓋４０は前面パネル１０の一部となる。
【００２７】
＜第２の実施例＞
図５は第２の実施例の配線ガイド部２４Ａを有する電装品箱２０の周辺を示す図、図６はその配線ガイド部２４Ａを示す図である。本実施例の配線ガイド部２４Ａは、箱本体２１の端部２１ａの一部を開放端とするよう形成された切込み凹部２４ｅと、その切込み凹部２４ｅの周囲を囲むように箱本体２１の外側（手前側）に垂直に突出するように連続して形成されたコ字形状の配線ガイド溝２４ｆと、その配線ガイド溝２４ｆの切込み凹部２４ｅの側と対向する先端側の壁面において複数のスリット２４ｇでコ字形状に囲むことで形成された配線挿通孔形成用の除去片２４ｈとを備える。また、電装品箱シール蓋５０には、配線ガイド溝２４ｆの端面２４ｉを閉じるためのカバー片５１ａが下側片２１に形成されている。
【００２８】
本実施例では、電装品箱２０の開口２３に電装品箱シールド蓋５０をかぶせると、配線ガイド溝２４ｆの端面２４ｉが電装品箱シールド蓋５０の下側片５１のカバー片５１ａによって覆われる。そして、配線を引き出す必要のないときは、除去片２４ｈがそのまま残るので、室内機１００の内部に漏れ出した冷媒が配線ガイド部２４Ａから電装品箱２０内に浸入することを防止することができる。
【００２９】
一方、配線７０を引き出す必要が生じたときは、除去片２４ｈを除去してそこに配線挿通孔を形成しておけば、配線ガイド溝２４ｆの内側に、配線７０を挿通したクッション材６０を圧入することができる。そして、電装品箱シール蓋５０のカバー片５１ａをそのクッション材６０に押し付ければ、その配線ガイド部２４Ａを閉じることができる。よって、この場合でも室内機１００の内部に漏れ出した冷媒が配線ガイド部２４Ａから電装品箱２０内に浸入することを防止することができる。
【００３０】
＜その他の実施例＞
なお、図３の配線ガイド溝２４ｃ、図６の配線ガイド溝２４ｆはコ字形状に限られるものではなく、Ｕ字形状、あるいは半円形状でもよく、スリット２４ａ、２４ｇを囲む形状あればよい。また、図３のスリット２４ａ、図６のスリット２４ｇもコ字形状に並ぶものに限られるものではなく、Ｕ字形状、あるいは半円形状でもよく、連続して並ぶものであればよい。
【符号の説明】
【００３１】
１０：前面パネル、１１：表示部/受光部/人検知部、１２：メンテナンス穴
２０：電装品箱、２１：箱本体、２１ａ：端部、２２：端子台、２３：開口、２４，２４Ａ：配線ガイド部、２４ａ：スリット、２４ｂ：除去片、２４ｃ：配線ガイド溝、２４ｄ：配線挿通孔、２４ｅ：切込み凹部、２４ｆ：配線ガイド溝、２４ｇ：スリット、２４ｈ：除去片、２４ｉ：端面
３０：表示器ケース、３１：表示部取付部３１、３２：受光部取付部、３３：人検知センサ取付部、３４：差込穴、３５：引出穴
４０：メンテナンス蓋
５０：電装品箱シール蓋、５１：下側片、５１ａ：カバー片、５２：上面片、５３：上側片、５４，５５：折曲片、５４ａ：切欠き部
６０：クッション材、６１：切り込み
７０：配線
１００：室内機
【図１】
2015140984.tif 000003
【図２】
2015140984.tif 000004
【図３】
2015140984.tif 000005
【図４】
2015140984.tif 000006
【図５】
2015140984.tif 000007
【図６】
2015140984.tif 000008